(57)【要約】      （修正有）【課題】  ゲーム機器等から排出されたコインを取り出す場合や移動する場合等に、このコインを落としたり散逸させたりすることを防止できるコイン受構造を提供する。【解決手段】  コインを収納するコイン収納部２と、このコイン収納部に隣接したコインカップ受用のホルダー３とでコイン受構造１を形成する。コイン収納部２とホルダー３との間に、コイン案内溝５を設ける。ゲーム機器のコイン排出口９１からコイン収納部２に排出されたコインを、ホルダー３に収納したコインカップ４に移し替える場合、手指で掻き出したコインをコイン案内溝５内を滑らして、かつ極近いこのコインカップに移すことができるため、コインを落としたり散逸させたりすることを防止できる。【選択図】図２
2006026269.tif 000002
【特許請求の範囲】
【請求項１】
ゲーム関連機器に設けたコイン受構造であって、
上方に開口し、上記ゲーム関連機器のコイン排出口から排出されるコインを収納するコイン収納部と、このコイン収納部に隣接して開口するコインカップ受用のホルダーとを備える
ことを特徴とするコイン受構造。
【請求項２】
請求項１において、上記コイン収納部の開口の開口縁と上記ホルダーの開口の開口縁とは、凹断面形状のコイン案内溝で連結してあり、
上記コイン案内溝は、少なくともコインの径より大きい溝幅を有している
ことを特徴とするコイン受構造。
【請求項３】
請求項１または２のいずれかにおいて、上記ホルダーを有底状に形成するとともに、このホルダーの底部には、外部に通じる開口部がこの底部と連続して形成してあることを特徴とするコイン受構造。
【請求項４】
請求項１乃至３のいずれかの１において、上記ホルダーは、上記コイン収納部に着脱可能であることを特徴とするコイン受構造。
【請求項５】
請求項１乃至４のいずれかの１において、上記コイン収納部の開口の開口面とコイン案内溝とホルダーの開口の開口面とは、上記ゲーム関連機器から外側に向かって、それぞれ下方に傾斜していることを特徴とするコイン受構造。
【発明の詳細な説明】
【技術分野】
【０００１】
本発明は、例えばパチスロゲーム機器に使用するコインを収納するコイン受構造に関する。
【背景技術】
【０００２】
従来からパチスロ等のゲーム機器は、通常専用のコインを用いてプレーする。この専用のコインは、ゲーム機器本体に附属するコイン貸し出し機構や、ゲーム機器とは別個に設置したコイン貸し出し機に、紙幣等を投入して貸し出される。すなわち紙幣等を投入すると、その金額に応じたコインが、コイン貸し出し機等の排出口から排出される。またパチスロゲーム等のゲームでは、ゲーム機器本体にコインの排出口が設けてあり、ゲームに勝ったときには、勝ち分に応じたコインが、このコインの排出口から排出される。
【０００３】
上述した排出口から排出されたコインは、上方に開口したカップ状のコイン収納部に収納され、この収納されたコインを、手指で掻き出したり、摘んだりして使用していた。図９に典型的なコイン受構造を示す。すなわちゲーム機器本体の右サイドには、上方に開口したカップ状のコイン収納部５０２が設けられ、このコイン収納部の左側面に開口する排出口５９１からコインが排出されて、このコイン収納部内に収納される。
【０００４】
また貸し出し機等のコイン収納部については、トレー式、ヘルメット式あるいはシュート式等のいくつかのタイプが提案されているが、このコイン収納部をコイン貸し出し機に着脱自在にし、複数のタイプのコイン収納部を、使用目的に合わせて容易かつ迅速に交換する手段が提案されている（例えば、特許文献１参照。）。
【特許文献１】特開２００３‐５３０１２号公報（第１‐４頁、第１‐５図）
【０００５】
この特許文献１に記載されたコイン貸し出し機を、図１０に示す。なお、この特許文献１では、「コイン」を「メダル」と称し、「コイン収納部」を、「コイン取り出し口」と称している。すなわちこのメダル貸し出し機は、並置したゲーム機器本体の間に設置されており、紙幣投入口６９２に紙幣を投入すると、その投入金額に応じたメダルが、トレー式メダル取り出し口６０２に排出される。そしてトレー式メダル取り出し口６０２は、メダル貸し出し機の前面パネルに着脱自在になっていて、ヘルメット式メダル取り出し口や、シュート式メダル取り出し口に容易に交換できるようになっている。
【発明の開示】
【発明が解決しようとする課題】
【０００６】
しかるに上述した従来手段には、次の改良すべき点があった。すなわちコイン貸し出し機と、プレーしたいゲーム機器とが互いに離れた場所にある場合や、あるゲーム機器で獲得したコインを使って、他のゲーム機器でプレーする場合等には、コイン収納部に収納されたコインを、手指で掻き出したりつまんだりして取り出し、この取り出したコインを手に持つか、あるいはカップ等の容器に移し変えて、目的のゲーム機器のある場所に移動する必要がある。
【０００７】
ところが往々にして、コイン収納部からコインを取り出す際や、コインを手に持ったまま他の場所に設置してあるゲーム機器まで移動する際に、コインを取り落としたり散逸させたりしてしまうことがある。特に手のサイズが小さい者が、多量のコインを取り出したり、手に持って移動したりする場合等に散逸させ易い。
【０００８】
そのためコイン収納部から取り出したコインを、カップ等の容器に移し変え、この容器を持って移動したり、ゲームを行なったりすることも行われているが、コイン収納部から容器に、コインを移し変える場合には、依然としてコインを取り落としたり散逸させたりする場合が多い。また大量のメダルを入れた、重くて嵩張る容器を持って、ゲームを行なうことは負担が大きい。そのため容器を、適当な場所に置いてゲームを行なう場合も多いが、このとき腕や膝でコインの入った容器を倒してしまうこともあった。
【０００９】
そこで本発明の目的は、ゲーム機器等から排出されたコインを取り出す場合や、移動する場合等に、このコインを落としたり散逸させたりすることを防止できるコイン受構造を提供することにある。
【課題を解決するための手段】
【００１０】
上記課題を解決すべく、本発明によるコイン受構造の特徴は、排出されるコインを収納するコイン収納部と、このコイン収納部に隣接して開口するコインカップ受用のホルダーとを一体的に組み合わせたことにある。すなわち本発明によるコイン受構造は、ゲーム関連機器に設けたコイン受構造であって、上方に開口し、ゲーム関連機器のコイン排出口から排出されるコインを収納するコイン収納部と、このコイン収納部に隣接して開口するコインカップ受用のホルダーとを備えている。
【００１１】
上述したコイン収納部の開口の開口縁と、ホルダーの開口の開口縁とは、凹断面形状のコイン案内溝で連結し、このコイン案内溝は、少なくともコインの径より大きい溝幅を有していることが望ましく、またこのホルダーを有底状に形成するとともに、このホルダーの底部には、外部に通じる開口部をこの底部と連続して形成するのが望ましい。さらにこのホルダーは、コイン収納部に着脱可能であることが望ましい。また上述したコイン収納部の開口の開口面と、コイン案内溝と、ホルダーの開口の開口面とは、ゲーム関連機器から外側に向かって、それぞれ下方に傾斜していることが望ましい。
【００１２】
なおここで「ゲーム関連機器」には、ゲームを行うゲーム機器本体に限らず、紙幣やクレジットカード等によって、ゲーム機器本体に使用するコインを貸し出すコイン貸し出し機器を含む。またこのゲーム機器本体には、コイン貸し出し機構を備えるものも含む。「コイン収納部」は、排出されるコインを収納できるものであれば、特定の形状や大きさに限定されない。「コイン収納部」について「上方に開口」とは、この上方に開口する開口部から収納したコインを取り出だすための要件を意味しており、排出口から排出されるコインがこの開口部から「コイン収納部」に流入することを意味していない。すなわち排出されるコインが、例えばこの開口部の下方に位置する「コイン収納部」の側面に設けたスリットから流入する場合も含まれる。
【００１３】
コイン収納部に「隣接して開口する」とは、コイン収納部の開口の開口縁と、コインカップ受用のホルダーの開口の開口縁との間に、短い所定の間隔がある場合に限らず、両者の開口縁が接している場合も含む。またコインカップ受用の「ホルダー」とは、コインカップを受けることができるものであれば、特定の形状や大きさに限定されず、有底の場合も無底の場合も含まれる。
【００１４】
「凹断面形状」とは、コイン案内溝の中央部がこの溝の両側より凹んでいる断面形状を意味し、円弧断面に限らず、三角断面、および矩形断面等のその他の断面形状を含む。また「コイン案内溝で連結」とは、コインカップ受用のホルダーの開口の開口縁との間に短い所定の間隔がある場合であって、この間隔の間にコイン案内溝が形成されている場合に限らず、両者の開口縁が接している場合であって、この開口縁の接する部分が、凹断面形状に切り欠いたように凹んでいる場合も含む。
【００１５】
「少なくともコインの径より大きい溝幅」とは、コインの径の２〜３倍程度が望ましいが、コインの径よりわずかに大きい場合や、コインの径の数倍であっても後述する効果が得られる。外部に通じる開口部が「この底部と連続して形成する」とは、ホルダーの底部の表面が、この表面より上方に突出する段差等の障害物がない状態で、開口部につながっていることを意味している。例えばホルダーの底部の表面と、開口部の底面が同一面状になっている場合、あるいはホルダーの底部に、開口部の内側開口端が食い込み、ホルダーの底部の一部を切り欠くように形成されている場合が該当する。
【発明の効果】
【００１６】
ゲーム関連機器のコイン排出口から排出されるコインを収納するコイン収納部と、このコイン収納部に隣接して開口するコインカップ受用のホルダーとを備えることによって、次の効果が得られる。まずコイン収納部とコインカップ受用のホルダーとが、隣接して開口しているため、このコイン収納部に収納したコインを、手指で掻き出したり摘んだりして、容易にホルダーに挿入等したコインカップに移し変えることができる。したがって、この移し替えるときに、不用意にコインを落としたり、散逸させたりすることを防止できる。
【００１７】
次にコイン収納部から取り出したコインは、ホルダーに挿入等したコインカップに収納する。このためプレーヤの手が小さい場合や、コインが多量な場合でも、離れたゲーム機器まで持ち運ぶ際に、不用意にコインを落としたり、散逸させたりすることを防止できる。そして、移動後は、コインを収納したコインカップをホルダーに挿入等して安定させることができるため、ゲームを行っている間に、肘や膝等が当って、不用意に倒すおそれもない。
【００１８】
次にコイン収納部の開口の開口縁と、ホルダーの開口の開口縁とを、凹断面形状のコイン案内溝で連結することによって、このコイン収納部から手指で掻き出したコインを、このコイン案内溝を滑らしつつホルダーに収納したコインカップに入れることができるため、コインを外部に落としたりすることなく、一層容易、迅速かつ確実にコインを移し替えることが可能となる。
【００１９】
またホルダーを有底状に形成した場合には、このホルダーの底部に、外部に通じる開口部を連続して形成することによって、このホルダーの底部に溜まったゴミ等を容易に取り出すことができる。なおホルダーを、例えば飲料水の缶等も収納できる形状に構成し、コインカップを収納していないときには、その替わりにこれらの缶等を一時的に置けるようにすることも容易にできる。このような場合には、ホルダー内にこぼれた飲料水等も、容易に排出することができる。
【００２０】
またホルダーを、コイン収納部に着脱可能にすることによって、それぞれ使用目的に応じた形状、大きさ、あるいは深さ等が異なる多種のコインカップだけでなく、飲料水の缶等も収納可能な多様な形態のホルダーに、容易かつ迅速に変更することができる。
【００２１】
さらにコイン収納部の開口の開口面と、コイン案内溝と、ホルダーの開口の開口面とを、ゲーム関連機器から外側に向かって、それぞれ下方に傾斜させて構成することによって、コイン収納部からホルダーに収納したコインカップに、より素早く、かつ容易にコインを移し替えることが可能となる。またコイン受構造の上面が下方に傾斜するために、不用意に重量物を載せたり、腰掛けたりすることを回避できるので、このコイン受構造の破損や、それによるプレーヤの損傷等を防止することができる。
【発明を実施するための最良の形態】
【００２２】
図１〜３を参照しつつ、本発明によるコイン受構造を説明する。なお図１は、本発明によるコイン受構造１をフロントパネルの右側部に設けたパチスロゲーム機器を示す。そして図２は、このコイン受構造を拡大したものを示し、図３は、このコイン受構造の横断面と使用の態様を示す。さてコイン受構造１は、上方に開口し、パチスロゲーム機器のコイン排出口９１から排出されるコインを収納するコイン収納部２と、このコイン収納部に隣接して開口するコインカップ受用のホルダー３とを備えている。なおホルダー３には、コインカップ４が挿入してある。
【００２３】
コイン受構造１は、その背面部分をビス止め（図示せず。）して、パチスロゲーム機器に設けたコイン貸し出し機構９の前面に突設してある。コイン貸し出し機構９は、上部に紙幣投入口９２を有ており、この紙幣投入口に紙幣を投入すると、液晶部９３に投入金額が表示され、その金額に応じたコインがコイン排出口９１から排出されて、その下にあるコイン収納部２に収納される。またコイン貸し出し機構９は、パチスロゲームで獲得したコインを、コイン排出口９１から排出し、このコインもコイン収納部２に収納される。
【００２４】
コイン受構造１は、プラスチック材で一体成形されており、その上面１１は、パチスロゲーム機器から外側に向かって下方に傾斜している。このため、コイン受構造１の上面１１に、不用意に重量物を載せたり、腰掛けたりすることを回避できる。なおコイン受構造の下面１２は、ほぼ水平になっており、その先端部分１３は、円弧形状に形成してある。コイン受構造１のパチスロゲーム機器側には、有底状のコイン収納部２が形成してあり、このコイン収納部は、上方に向かって略矩形形状に開口している。
【００２５】
コイン収納部２と隣接して、上方に円形状に開口するホルダー３が形成してある。ホルダー３の底部としての底面３１は、有底状に形成してあり、コイン受構造１の先端部分１３には、このホルダーの底面３１につながる略矩形断面形状の開口部１４が設けてある。コイン収納部２の開口の開口縁と、ホルダー３の開口の開口縁とは、円弧状の凹断面形状のコイン案内溝５で連結してある。なおコイン案内溝５の溝幅は、コインの径の約２倍に形成してある。またコイン案内溝５は、コイン受構造の上面１１と同様の傾斜角度で、ホルダー３の開口の開口縁に向かって下方に傾斜している。
【００２６】
さて図３に示すように、コイン受構造１を使用する場合は、コイン収納部２に収納したコインを手指で掻き出して、ホルダー３に挿入したコインカップ４に移し変える。この際、手指で掻き出したコインは、コイン案内溝５を滑らしながら、極近くにあるコインカップ４の大きな開口に投入できるので、コインを落としたりすること無く、迅速かつ確実にこのコインカップ内に移し替えることが可能となる。なお上述したように、ホルダー３の底面３１には、コイン受構造１の先端部分１３から、この底面を一部切り欠く状態で開口部１４が形成してある。このためホルダー３の底面３１にたまった塵や、後述する飲料水を溢した場合に、これらを容易に排出することができる。
【００２７】
次に図４〜図６を参照しつつ、ホルダーが、コイン収納部に着脱可能である場合を説明する。さて図４は、コイン受構造１０１の全体構造の概略図であって、このコイン受構造は、上方から見て略矩形の形状を有し、上述したものと同様に、プラスチック材で一体成形されている。コイン受構造１０１の上面１１１は、パチスロゲーム機器から外側に向かって下方に傾斜している。コイン受構造１０１のパチスロゲーム機器側には、有底状のコイン収納部１０２が形成してあり、このコイン収納部は、上方に向かって略矩形形状に開口している。
【００２８】
コイン収納部１０２と隣接して、上方に略矩形形状に開口するホルダー受部１１５が形成してある。そしてコイン収納部１０２とホルダー受部１１５との間は、上端がコイン受構造１０１の上面１１１より下方位置にある、仕切り部分１１６が形成してある。なおホルダー受部１１５の底面１１５ａは有底状に形成してある。またコイン受構造１０１の先端部分１１３には、略矩形形状の開口部１１５ｂが、ホルダー受部１１５の底面１１５ａと連続して形成してある。
【００２９】
図５および図６は、上述したホルダー受部１１５に着脱可能なホルダー１０３と、ホルダー２０３とを、それぞれ示しており、これらのいずれのホルダーもプラスチック材で一体成形されている。図５に示すホルダー１０３の上面形状は、図４に示すホルダー受部１１５に嵌合する略矩形であって、中央に円形状の開口部１３２が開口している。そして図５において、開口部１３２の後部開口縁と、ホルダー１０３の後端部との間には、略矩形断面形状のコイン案内溝１０５が設けてある。なお開口部１３２の両側開口縁は、それぞれ円弧断面形状の切欠き部１３３、１３３が形成してある。またホルダー１０３の下面１３５の後端部分には、上述したコイン受構造１０１の仕切り部分１１６の上端部と密着する、当接部分１３５ａが形成してある。
【００３０】
したがって上述したホルダー１０３を、図４に示すコイン受構造１０１のホルダー受部１１５に挿入すれば、丁度図２に示すコイン受構造１と同等の構成となる。そしてホルダー１０３の開口部１３２に、コーン状のコインカップを挿入すれば、図３に示すように、コイン収納部１０２に収納されたコインを掻き出し、コイン案内溝１０５を経由して、このコインカップに容易かつ確実に移すことが可能となる。
【００３１】
なおコインカップの高さは、このコインカップの底がホルダー受部１１５の底面１１５ａに接したときに、このコインカップの開口面がコイン案内溝１０５の溝底面より同等以下となる寸法にしてあり、このコインカップの開口径は、ホルダー１０３の開口部１３２の径よりわずかに小さくしてある。そして上述したようにホルダー１０３の開口部１３２の両側開口縁には、切欠き部１３３，１３３が形成してあるため、このホルダーに挿入したコインカップを手指で容易に取り出すことができる。
【００３２】
図６は、上述したコイン受構造１０１のホルダー受部１１５に着脱可能な、他の形態のホルダー２０３を示している。すなわちホルダー２０３は、矩形形状のコインカップを着脱可能にするものであって、このホルダー上方に開口する開口部２３２は、矩形形状である点、およびこのホルダーの底面２３１は有底状である点が、図５に示すホルダー１０３と相違している。なおホルダー２０３の先端部分２３６には、略矩形形状の開口部２３４が、このホルダーの底面２３１と連続して形成してある。
【００３３】
そしてホルダー２０３の開口部２３４は、このホルダーを図４に示すコイン受構造１０１のホルダー受部１１５に挿入した場合に、このコイン受構造の開口部１１５ｂと連通するように形成してあるため、このホルダーの底部２３１に溜まった塵等を、これらの連通する開口部から容易に外部に排出することができる。
【００３４】
なお図７と図８とは、高さの異なるコインカップを収納可能なホルダーの形状を例示したものである。すなわち図７（Ａ）および（Ｂ）に示すホルダー３０３は、下方に向かって面積が小さくなるコーン状の側面を有しており、底部は開口している。したがってコインカップもコーン状に形成しておけば、図７（Ａ）と図７（Ｂ）とに示すように、高さが低いコインカップ３０４の場合も、あるいは高さが高いコインカップ４０４の場合も、いずれにも使用することができる。
【００３５】
また図８（Ａ）および（Ｂ）に示すホルダー４０３は、先端部が下方に傾斜するリング４３７に形成してあり、コインカップの上端にそれぞれフランジ部分５４１，６４１を設けておけば、図８（Ａ）と図８（Ｂ）とに示すように、高さが低いコインカップ５０４の場合も、あるいは高さが高いコインカップ６０４の場合も、いずれにも使用することができる。
【００３６】
なお上述した、コイン受構造１等、着脱可能なホルダー１０３等は、プラスチック製のものに限らず、アルミ合金等の金属材料も使用できる。またコイン受構造の形状は、上述したようにコイン収納部とホルダーとが、ゲーム機器の前面から外側に向かって一直線上に並ぶ場合に限らず、このホルダーが、このコイン収納部の横方向に配置、すなわちこのホルダーとコイン収納部とが、ゲーム機器の前面に略並行または斜めになるように配置することも容易にできる。さらにコイン収納部とホルダーとを別部品として製造し、これらを相互に着脱可能となるように、コイン受構造を構成することも容易にできる。
【００３７】
またホルダー３等の形状を、缶ジュース等の飲料水容器や、コーヒーの紙コップや、携帯電話器等を収納可能な形状にすることも容易にできる。この場合は、遊戯中にこれらの容器等を、不用意に転倒させたり落下させたりしないように、ホルダー３等に置くことが可能となる。さらにコイン受構造１等に、小さな水平テーブル部分を設けて、このテーブル部分に形態電話や飲料水の容器等を、一時的に置けるようにすることも容易にできる。
【産業上の利用可能性】
【００３８】
本発明によるコイン受構造は、例えばパチスロ等のゲーム機器本体に限らず、個別に設置したコイン貸出機にも適用できるため、ゲーム関連機器の産業に広く利用することができる。
【図面の簡単な説明】
【００３９】
【図１】コイン受構造を備えたパチスロゲーム機器の概略斜視図である。
【図２】コイン受構造の拡大斜視図である。
【図３】コイン受構造の使用の態様を示す横断面図である。
【図４】ホルダーが着脱可能なコイン受構造の概略斜視図である。
【図５】着脱可能なホルダーの斜視図である。
【図６】着脱可能な他のホルダーの斜視図である。
【図７】高さが異なるコインカップを収納可能なホルダーの断面図である。
【図８】高さが異なるコインカップを収納可能な他のホルダーの断面図である。
【図９】従来例によるコイン受構造を備えたゲーム機器の概略斜視図である。
【図１０】従来例によるコイン受構造を備えたコイン交換機の概略斜視図である。
【符号の説明】
【００４０】
１，１０１，３０１，４０１                        コイン受構造
１１５                                            ホルダー受部
１１５ａ                                          ホルダー受部の底面
１１５ｂ                                          開口部
１１６                                            仕切り部
１４，２３４                                      開口部
２，１０２，３０２，４０２，５０２，６０２        コイン収納部
３，１０３，２０３，３０３，４０３                ホルダー
３１，２３１                                      ホルダーの底面
４，３０４，４０４，５０４，６０４                コインカップ
５，１０５，２０５，３０５，４０５                コイン案内溝
９１，１９１，５９１                              コイン排出口
【図１】
2006026269.tif 000003
【図２】
2006026269.tif 000004
【図３】
2006026269.tif 000005
【図４】
2006026269.tif 000006
【図５】
2006026269.tif 000007
【図６】
2006026269.tif 000008
【図７】
2006026269.tif 000009
【図８】
2006026269.tif 000010
【図９】
2006026269.tif 000011
【図１０】
2006026269.tif 000012